(57)【要約】      （修正有）【課題】本発明はリールシートに対し魚釣用リールの取り付け高さを極力低くして魚釣用リールをしっかりと固定できる釣竿を得ることにある。【解決手段】左右の側壁(5a, 5b)の間に跨るブリッジ部(6)を有するリール本体(3)と、側壁(5a, 5b)の間に回転自在に支持されたスプール(4)とを備える魚釣用リール(1)と組み合せて使用する釣竿を前提とし、この釣竿は元竿管の手元側に位置するグリップ部と、グリップ部の前端から元竿管に向けて突出し、魚釣用リール(1)を固定するリールシート(26)とを備えている。リールシート(26)はリール本体(3)の側壁(5a, 5b)の間でブリッジ部(6)を受け止める上面(29)と、リール本体(3)の一方の側壁(5a)が有する固定部(12)に重なり合う側面(30)とを有し、リールシート(26)の側面(30)とリール本体(3)の一方の側壁(5a)との間を魚釣用リール(1)の側方から締め付け部材(34)を介して互いに連結して魚釣用リール(1)を固定する。【選択図】図８
2008187914.tif 000002
【特許請求の範囲】
【請求項１】
左右の側壁と、これら側壁の間に跨るブリッジ部とを有するリール本体と、
上記側壁の間に回転自在に支持されたスプールと、を備える魚釣用リールと組み合せて使用する釣竿であって、
元竿管の手元側に位置するグリップ部と、
上記グリップ部の前端から上記元竿管に向けて突出し、上記魚釣用リールを固定するリールシートと、を具備し、
上記リールシートは、上記リール本体の側壁の間で上記ブリッジ部を下から受け止める上面と、上記リール本体の一方の側壁が有する固定部に重なり合う側面とを含み、上記リールシートの側面と上記リール本体の一方の側壁との間を、上記魚釣用リールの側方から締め付け部材を介して互いに連結したことを特徴とする釣竿。
【請求項２】
請求項１の記載において、上記締め付け部材は、上記リール本体の側壁および上記固定部を貫通するねじであり、上記リールシートは、上記側面に開口するねじ孔を有し、上記ねじ孔に上記側壁および上記固定部を貫通したねじをねじ込むことで、上記魚釣用リールが上記リールシートに固定されることを特徴とする釣竿。
【請求項３】
請求項２の記載において、上記リールシートの側面は、上記上面と直交し合う位置関係を有するとともに上記元竿管の軸方向に延びる平面であることを特徴とする釣竿。
【請求項４】
請求項１の記載において、上記リールシートは、上記リールシートに上記魚釣用リールを固定した時に、上記リール本体の側壁の間の中央に位置することを特徴とする釣竿。
【発明の詳細な説明】
【技術分野】
【０００１】
本発明は、両軸受リールと組み合わせて使用する釣竿に係り、特に両軸受リールを釣竿に固定するリールシートの構造に関する。
【背景技術】
【０００２】
両軸受リールと組み合わせて使用する釣竿は、元竿管の手元側に両軸受リールを固定するためのリールシートを備えている。特許文献１に開示された釣竿は、リールシートの前端部に固定環を有するとともに、リールシートの後端部に可動環を有している。可動環は、締め付けリングを回転させることにより固定環に近づく方向に移動し、これにより、固定環との間で両軸受リールのリール脚を挟み込んで、両軸受リールをリールシートの上に固定している。
【０００３】
このため、特許文献１の釣竿では、リールシートの上に両軸受リールのリール脚が載置されており、このリール脚、固定環および可動環が両軸受リールのリール本体とリールシートとの間に入り込んでいる。
【０００４】
一方、特許文献２は、スピニングリールと組み合わせて使用する釣竿を開示している。スピニングリールは、リール本体から上向きに突出するリール取付脚を有し、このリール取付脚の上端部が釣竿のグリップ部に連結されている。
【０００５】
グリップ部は、その中間部の下面に下向きに開口する嵌合孔を有し、この嵌合孔にリール取付脚の上端部が嵌合されている。リール取付脚の上端部は、固定ねじを介してグリップ部に固定されている。固定ねじは、グリップ部の側方からグリップ部を貫通するとともに、リール取付脚の上端部に形成したねじ孔にねじ込まれている。
【０００６】
このことから、特許文献２の釣竿では、スピニングリールが固定ねじを介してグリップ部に直接固定されており、スピニングリールを固定するための専用のリールシートが不要となっている。
【特許文献１】実開昭６１−１６５１６９号公報
【特許文献２】実開昭５３−１１３８９２号公報
【発明の開示】
【発明が解決しようとする課題】
【０００７】
特許文献１の釣竿によると、両軸受リールをリールシートに固定した状態では、リール本体の下端から張り出すリール脚がリール本体とリールシートとの間に入り込んでいる。そのため、リール本体とリールシートとの間にリール脚を収めるスペースを確保しなくてはならず、このスペースの分だけリールシートに対する両軸受リールの取り付け位置が高くなる。
【０００８】
すると、例えば釣人が手の平で釣竿のグリップ部を包み込むように握るとともに、リールシートの上に固定した両軸受リールを親指の腹で上から押えるパーミングをする際に、親指が両軸受リールに掛かり難くなることがあり得る。
【０００９】
このため、特にパーミングをする際に親指の位置や姿勢が不安定となって、親指が両軸受リールからずれる虞があり得る。よって、両軸受リールを親指で上からしっかりと押える上での妨げとなり、パーミング性に悪影響を及ぼす一つの要因となる。
【００１０】
さらに、特許文献２の釣竿では、グリップ部の下面からリール本体に向けてリール取付脚が突出しているので、リール取付脚の長さの分だけリール本体がグリップ部の下方に離れてしまう。したがって、特許文献２の釣竿は、スピニングリールの取り付け高さを低くすることを何等想定していない。
【００１１】
本発明の目的は、リールシートに対する魚釣用リールの取り付け高さを極力低くするとともに、魚釣用リールをリールシートにぐらつくことなくしっかりと固定でき、操作性に優れた釣竿を得ることにある。
【課題を解決するための手段】
【００１２】
上記目的を達成するため、本発明の一つの形態に係る釣竿は、  
左右の側壁と、これら側壁の間に跨るブリッジ部とを有するリール本体と、上記側壁の間に回転自在に支持されたスプールと、を備える魚釣用リールと組み合せて使用する釣竿であって、  
この釣竿は、元竿管の手元側に位置するグリップ部と、上記グリップ部の前端から上記元竿管に向けて突出し、上記魚釣用リールを固定するためのリールシートと、を備えている。  
上記リールシートは、上記リール本体の側壁の間で上記ブリッジ部を下から受け止める上面と、上記リール本体の一方の側壁が有する固定部に重なり合う側面とを含み、上記リールシートの側面と上記リール本体の一方の側壁との間を、上記魚釣用リールの側方から締め付け部材を介して互いに連結したことを特徴としている。
【発明の効果】
【００１３】
本発明によれば、リールシートの側面に直接リール本体の側壁を固定できるので、リール本体からリールシートの上面に重なり合うリール脚を排除することができる。このため、リールシートの上面とリール本体との間にリール脚を収めるスペースを確保する必要はなく、その分、リールシートに対する魚釣用リールの取り付け高さを低くできる。したがって、グリップ部を握った手の親指で魚釣用リールをしっかりと押さえ込むことができる。
【００１４】
しかも、リール本体は、リールシートの上面および側面に接するので、リール本体をリールシートに対しぐらつくことなく強固に固定することができ、特にパーミング性・キャスティング性に優れた使い易い釣竿を提供することができる。
【発明を実施するための最良の形態】
【００１５】
以下本発明の実施の形態を図面に基づいて説明する。
【００１６】
図１および図２は、例えば両軸受リール１と組み合わせて使用するルアーフィッシング用の釣竿２を開示している。
【００１７】
両軸受リール１は、魚釣用リールの一例であり、図６ないし図８に示すように、金属製のリール本体３とスプール４とを備えている。リール本体３は、左右一対の側壁５ａ，５ｂおよびブリッジ部６を有している。
【００１８】
側壁５ａ，５ｂは、円盤状をなすとともに、両軸受リール１の幅方向に間隔を存して向かい合っている。ブリッジ部６は、側壁５ａ，５ｂの下端部の間に跨って、これら側壁５ａ，５ｂを一体的に連結している。ブリッジ部６の下面６ａは、水平な平面となっている。
【００１９】
スプール４は、図示しないスプール軸を介して左右の側壁５ａ，５ｂの間に回転自在に支持されている。スプール軸の一端は、左側の側壁５ａに軸受を介して支持されているとともに、スプール軸の他端は、右側の側壁５ｂに軸受を介して支持されている。スプール４は、釣糸７を巻き付ける巻胴部８を有し、この巻胴部８をスプール軸が同軸状に貫通している。
【００２０】
スプール軸の他端は、クラッチを有する公知の回転力伝達手段を介してハンドル９に接続されている。ハンドル９は、釣糸７をスプール４に巻き取る際に手で操作するもので、図示しないハンドル軸を介してリール本体３に回転自在に支持されている。
【００２１】
上記クラッチは、釣人が操作レバーを操作することでＯＮ位置とＯＦＦ位置とに切り換えが可能となっている。ＯＮ位置では、ハンドル９とスプール軸との間が機械的に結合されて、ハンドル９に入力された回転力がスプール軸に伝わり、釣糸７を巻き取る方向にスプール４を回転させることができる。ＯＦＦ位置では、ハンドル９とスプール軸との結合が解除されて、スプール４が自由に回転し得る状態に移行し、スプール４からの釣糸７の繰り出しが可能となる。
【００２２】
図８に示すように、リール本体３の側壁５ａ，５ｂの下端部は、夫々ブリッジ部６の下面６ａよりも下方に向けて円弧状に張り出す突出部１１を有している。左側の側壁５ａの突出部１１に、右側の側壁５ｂに向けて突出する取り付け座１２が形成されている。取り付け座１２は、固定部の一例であり、側壁５ａおよびブリッジ部６と一体化されている。
【００２３】
取り付け座１２は、リール本体３の前後方向に延びる支持面１３を有している。支持面１３は、ブリッジ部６の下面６ａと直交し合う垂直な平面であり、右側の側壁５ｂの突出部１１と向かい合っている。
【００２４】
図６および図７に示すように、取り付け座１２に一対のねじ挿通孔１４が形成されている。ねじ挿通孔１４は、スプール４の軸方向に延びるとともに、リール本体３の前後方向に間隔を存して互いに平行に配置されている。ねじ挿通孔１４は、左側の側壁５ａの突出部１１および取り付け座１２を貫通するとともに、この突出部１１の外面および取り付け座１２の支持面１３に夫々開口している。
【００２５】
リール本体３の左側の側壁５ａに第１のサイドカバー１６が取り外し可能に固定されている。第１のサイドカバー１６は、側壁５ａを両軸受リール１の左側方から覆っている。同様に、リール本体３の右側の側壁５ｂに第２のサイドカバー１７が取り外し可能に固定されている。第２のサイドカバー１７は、側壁５ｂを両軸受リール１の右側方から覆っている。
【００２６】
このような構成の両軸受リール１と組み合わされる釣竿２は、図１および図２に示すような元竿管２０および先側節２１を備えている。先側節２１は、先竿２２を有している。先竿２２の外周面に釣糸７をガイドする複数の釣糸ガイド２３が固定されている。釣糸ガイド２３は、先竿２２の後部からトップガイド２４に向けて間隔を存して一列に並んでいる。
【００２７】
元竿管２０の手元側の端部にグリップ部２５およびリールシート２６が取り付けられている。グリップ部２５は、釣人が手で握り易いような棒状に形成されている。グリップ部２５にトリガー２７が一体に形成されている。図３に示すようにトリガー２７は、釣竿２のグリップ部２５を片手で握った時に、このグリップ部２５を握った手の中指と薬指とで挟み込むためのものであり、グリップ部２５の前端の下面から下向きに突出している。
【００２８】
図６および図７に示すように、リールシート２６は、両軸受リール１を取り外し可能に固定するためのものであり、グリップ部２５の前端から元竿管２０に向けて突出している。本実施の形態のリールシート２６は、例えばアルミニウム合金のような金属材料で造られている。
【００２９】
リールシート２６は、竿連結部２６ａとシート本体２８とを備えている。竿連結部２６ａは、リールシート２６の前端部に位置している。竿連結部２６ａは、中空の円筒状をなしており、この竿連結部２６ａに元竿管２０の後端部が例えば接着等の手段により固定されている。
【００３０】
シート本体２８は、元竿管２０とグリップ部２５との間に位置している。シート本体２８は、リール本体３の左右の側壁５ａ，５ｂの間に介在されるように、その幅寸法Ｗが側壁５ａ，５ｂの配置間隔Ｌよりも幅狭く形成されている。
【００３１】
シート本体２８は、シート本体２８の上方に露出する上面２９と、シート本体２８の左側方に露出する第１の側面３０と、シート本体２８の右側方に露出する第２の側面３１とを有している。
【００３２】
上面２９は、リール本体３のブリッジ部６を下から受け止めるための水平な平面であり、元竿管２０の軸方向に延びる長方形状をなしている。第１の側面３０は、リール本体３の取り付け座１２の支持面１３と向かい合う垂直な平面であり、シート本体２８の上面２９と直交するように上面２９の左側縁から下向きに延びている。第２の側面３１は、右側の側壁５ｂの突出部１１と向かい合う垂直な平面であり、シート本体２８の上面２９と直交するように上面２９の右側縁から下向きに延びている。第１および第２の側面３０，３１は、元竿管２０の軸方向に延びる長方形状をなしている。
【００３３】
さらに、シート本体２８のうち上面２９の反対側に位置する外周部分３２は、人差し指を掛け易いように、滑らかな円弧を描いて第１および第２の側面３０，３１に連続している。
【００３４】
図４および図５に示すように、シート本体２８に一対のねじ孔３３が形成されている。ねじ孔３３は、元竿管２０の軸方向と直交する方向に沿って水平に延びているとともに、互いに間隔を存して平行に配置されている。ねじ孔３３は、シート本体２８の第１および第２の側面３０，３１に開口している。ねじ孔３３の配置間隔は、リール本体３のねじ挿通孔１４の配置間隔と一致している。
【００３５】
そのため、両軸受リール１のリール本体３をシート本体２８の上面２９の決められた位置に載置すると、ねじ孔３３とねじ挿通孔１４とが互いに連通するようになっている。
【００３６】
なお、ねじ孔３３は、必ずしも第２の側面３１に開口させる必要はなく、少なくとも第１の側面３１に開口していればよい。
【００３７】
図６ないし図８に示すように、両軸受リール１は、一対の固定ねじ３４を介してシート本体２８に固定されている。固定ねじ３４は、締め付け部材の一例であって、リール本体３の左側の側壁５ａを貫通してねじ孔３３に導かれている。
【００３８】
すなわち、固定ねじ３４は、両軸受リール１の左側からリール本体３のねじ挿通孔１４を介してねじ孔３３にねじ込まれている。このねじ込みにより、リール本体３の取り付け座１２の支持面１３がシート本体２８の第１の側面３０に重なり合い、取り付け座１２が固定ねじ３４の頭部３４ａとシート本体２８との間で挟み込まれる。
【００３９】
それとともに、リール本体３のブリッジ部６の下面６ａがシート本体２８の上面２９に面接触した状態に保持される。これにより、両軸受リール１が釣竿２のリールシート２６の定位置に固定される。
【００４０】
図８に示すように、リールシート２６に両軸受リール１を固定した状態では、リールシート２６のシート本体２８がリール本体３の側壁５ａ，５ｂの間の中央に位置している。そのため、釣竿２を軸方向から見た時に、スプール４の軸方向に沿う中心点Ｏ１が元竿管２０の軸中心線の略真上に位置している。よって、スプール４から釣糸７が繰り出される時、釣糸７は、釣竿２に対し左右にバランスのとれた位置からトップガイド２４に向けて繰り出されるようになっている。
【００４１】
なお、固定ねじ３４をリール本体３のねじ挿通孔１４に挿通するに当っては、第１のサイドカバー１６を予めリール本体３の側壁５ａから取り外しておく。この第１のサイドカバー１６は、固定ねじ３４による両軸受リール１の固定が完了した後に側壁５ａに取り付けられる。これにより、固定ねじ３４の頭部３４ａが第１のサイドカバー１６によって覆い隠され、両軸受リール１の見栄えが良好となる。
【００４２】
このような構成によると、シート本体２８の第１の側面３０に直接リール本体３の側壁５ａを固定できるので、リール本体３のブリッジ部６からシート本体２８の上面２９に向うリール脚を排除することができる。よって、シート本体２８の上面２９とリール本体３との間にリール脚を収めるスペースを確保する必要はない。
【００４３】
言い換えると、リール本体３のブリッジ部６の下面６ａをシート本体２８の上面２９に直に載置することができ、リールシート２６に対する両軸受リール１の取り付け高さを低くできる。
【００４４】
したがって、グリップ部２５を握った手の親指をリール本体３に掛け易くなり、この親指で両軸受リール１を上からしっかりと押さえ込むことができる。
【００４５】
しかも、リール本体３が接するシート本体２８の上面２９および第１の側面３０は夫々平面となっているので、リール本体３とリールシート２６との接触状態が安定し、かつこれら両者の接触面積も十分に確保することができる。
【００４６】
この結果、両軸受リール１をリールシート２６にぐらつくことなく強固に固定することができ、特にパーミング性・キャスティング性に優れた使い易い釣竿２を提供することができる。
【００４７】
さらに、上記構成によると、リール本体３は、シート本体２８の上面２９と第１の側面３０とで規定されるコーナ部分に突き当てられるので、リールシート２６の上に両軸受リール１を載置する際のリール本体３の傾きを防止できる。この結果、リール本体３のねじ挿通孔１４とシート本体２８のねじ孔３３との位置合せを容易に行うことができ、両軸受リール１を釣竿２に固定する際の作業性が良好となる。
【００４８】
なお、本発明は上記実施の形態に特定されるものではなく、発明の主旨を逸脱しない範囲内で種々変形して実施可能である。
【００４９】
例えば上記実施の形態によると、両軸受リール１を釣竿２に固定した状態では、リール本体３の右側の側壁５ｂとシート本体２８の第２の側面３１との間に隙間が生じているが、この側壁５ｂと第２の側面３１との間に隙間を埋めるスペーサを介在させるようにしてもよい。
【００５０】
また、固定ねじ３４をリール本体３の左右の側壁５ａ，５ｂの間に架け渡し、固定ねじ３４を利用して側壁５ａ，５ｂを互いに連結するようにしてもよい。このような構成とすることで、リールシート２６に対する両軸受リール１の固定強度をより一層高めることができる。
【００５１】
さらに、上記実施の形態では、固定ねじをリール本体の左側の側壁を貫通させてリールシートのねじ孔にねじ込むにようにしたが、本発明はこれに限定されない。例えば、リール本体の右側の側壁に取り付け座を形成するとともに、固定ねじをリール本体の右側の側壁の方向から取り付け座を貫通させてリールシートのねじ孔にねじ込むようにしてもよい。
【図面の簡単な説明】
【００５２】
【図１】本発明の実施の形態おいて、両軸受リールと組み合わせて使用する釣竿の側面図。
【図２】本発明の実施の形態において、両軸受リールと組み合わせて使用する釣竿の平面図。
【図３】本発明の実施の形態において、リールシートに両軸受リールを固定した状態を示す釣竿の側面図。
【図４】本発明の実施の形態に係る釣竿の平面図。
【図５】本発明の実施の形態に係る釣竿の側面図。
【図６】本発明の実施の形態において、両軸受リールとリールシートとの位置関係を示す釣竿の下面図。
【図７】本発明の実施の形態において、両軸受リールとリールシートとの連結部分を断面で示す釣竿の側面図。
【図８】本発明の実施の形態において、釣竿のリールシートと両軸受リールのリール本体との連結部分を示す断面図。
【符号の説明】
【００５３】
１…魚釣用リール（両軸受リール）、３…リール本体、４…スプール、５ａ，５ｂ…側壁、６…ブリッジ部、１２…固定部（取り付け座）、２０…元竿管、２５…グリップ部、２６…リールシート、２９…上面、３０…側面（第１の側面）、３４…締め付け部材（固定ねじ）。
【図１】
2008187914.tif 000003
【図２】
2008187914.tif 000004
【図３】
2008187914.tif 000005
【図４】
2008187914.tif 000006
【図５】
2008187914.tif 000007
【図６】
2008187914.tif 000008
【図７】
2008187914.tif 000009
【図８】
2008187914.tif 000010